(57)【特許請求の範囲】
【請求項１】
（ａ）端子部材を備えるカードを保持可能、かつ、カード用コネクタに挿入可能なカード保持部材であって、
（ｂ）前記カードの側面と対向するカード保持枠部と、第１連結部とを含む第１部と、
（ｃ）本体部と、前記第１連結部と連結される第２連結部とを含む第２部と、
（ｄ）前記本体部の外周に取付けられる第１弾性部材と、
（ｅ）前記第１連結部と第２連結部との間に取付けられる第２弾性部材とを備え、
（ｆ）前記本体部には、前記カード保持部材をカード用コネクタから排出させる排出機構を作動させる排出操作部材が、第３弾性部材を介して、スライド可能に取付けられることを特徴とするカード保持部材。
【請求項２】
前記カード保持部材は、壁部材の挿入開口を通してカード用コネクタに挿入可能であり、
前記本体部は、前記第１弾性部材が取付けられた部分が前記挿入開口内に挿入可能であり、
当該部分が前記挿入開口内に挿入されると、前記第１弾性部材は、当該部分と前記挿入開口との間に介在する請求項１に記載のカード保持部材。
【請求項３】
前記第１連結部と第２連結部とは、前記第２弾性部材を介して連結される請求項１又は２に記載のカード保持部材。
【請求項４】
前記本体部は、前記排出操作部材が挿入される挿通孔を含み、前記第３弾性部材は、前記排出操作部材と挿通孔との間に介在する請求項１に記載のカード保持部材。
【請求項５】
前記カード保持部材は、金属から成る板材から一体的に形成された金属部を更に備え、
前記第１部及び第２部は、樹脂から成り、前記金属部の周囲の少なくとも一部を被覆して一体化するように形成される請求項１〜４のいずれか１項に記載のカード保持部材。
【請求項６】
請求項１〜５のいずれか１項に記載のカード保持部材と、
該カード保持部材をカード用コネクタから排出させる排出機構を含み、前記カード保持部材を挿入可能なカード用コネクタとを備えるカード用コネクタセット。
【発明の詳細な説明】
【技術分野】
【０００１】
本発明は、カード保持部材及びカード用コネクタセットに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  Ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種カードを利用するために、カード用コネクタを備えている。
【０００３】
近年、電子機器の急速な小型化に伴って、カード及びカード用コネクタは、急速に小型化される傾向にある。そのため、ユーザが手指によってカードを把持したり、カード用コネクタに適切に挿入したりすることが困難である。そこで、カードをあらかじめカード用ホルダに収納しておき、該カード用ホルダを挿入するカード用コネクタが提案されている（例えば、特許文献１参照。）。
【０００４】
図１０は従来のカード用コネクタを示す断面図である。
【０００５】
図において、８１１は、絶縁性の樹脂材料から成るカード用コネクタのハウジングであり、携帯電話機等の機器の本体に装着される。そして、前記ハウジング８１１には片持ち支持バネ型のコンタクト８５１が複数取付けられ、該コンタクト８５１の先端は、前記ハウジング８１１に形成された長穴８１２を通って、図示されないカードの電極パッドに接触可能となっている。
【０００６】
また、９６１は、絶縁性の樹脂材料から成るカード用ホルダであり、内部の空間にカードを収納して保持した状態で、前記ハウジング８１１の挿入口から内部に挿入される。さらに、前記カード用ホルダ９６１の挿入側の端部と反対側の端部には、ゴム製のパッキン９７１が装着されている。そして、前記カード用ホルダ９６１が図に示されるようにハウジング８１１に挿入されて装填（てん）された状態では、前記パッキン９７１が機器の本体に形成されたカード用ホルダ挿入開口の内周面に当接し、これにより、カード用ホルダ９６１の外周面とカード用ホルダ挿入開口の内周面との間の間隙（げき）が閉鎖されるので、外部からの水や埃（ほこり）が機器の本体内に侵入することが防止される。
【先行技術文献】
【特許文献】
【０００７】
【特許文献１】特開平８−３３５２５５号公報
【発明の概要】
【発明が解決しようとする課題】
【０００８】
しかしながら、前記従来のカード用コネクタにおいては、機器の本体へのハウジング８１１の取付誤差等に起因して、ハウジング８１１の挿入口と機器の本体に形成されたカード用ホルダ挿入開口との間に位置ずれが生じた場合、カード用ホルダ９６１をハウジング８１１に挿入して装填することが困難になってしまう。また、仮に、カード用ホルダ９６１をハウジング８１１に装填することができても、カード用ホルダ挿入開口に対して、カード用ホルダ９６１の挿入側の端部と反対側の端部が傾斜したり、一方に片寄った状態となったりするので、パッキン９７１がカード用ホルダ９６１の外周面とカード用ホルダ挿入開口の内周面との間の間隙を完全に閉鎖することができず、外部からの水や埃が機器の本体内に侵入してしまう。
【０００９】
本発明は、前記従来の問題点を解決して、カード保持部材に第１弾性部材及び第２弾性部材を具備させることによって、カード保持部材のカード用コネクタへの挿入及び排出を容易に、かつ、確実に行うことができるとともに、外部からの異物の侵入を確実に防止することができる信頼性の高いカード保持部材及びカード用コネクタセットを提供することを目的とする。
【課題を解決するための手段】
【００１０】
そのために、本発明のカード保持部材においては、端子部材を備えるカードを保持可能、かつ、カード用コネクタに挿入可能なカード保持部材であって、前記カードの側面と対向するカード保持枠部と、第１連結部とを含む第１部と、本体部と、前記第１連結部と連結される第２連結部とを含む第２部と、前記本体部の外周に取付けられる第１弾性部材と、前記第１連結部と第２連結部との間に取付けられる第２弾性部材とを備え、前記本体部には、前記カード保持部材をカード用コネクタから排出させる排出機構を作動させる排出操作部材が、第３弾性部材を介して、スライド可能に取付けられる。
【００１１】
本発明の他のカード保持部材においては、さらに、前記カード保持部材は、壁部材の挿入開口を通してカード用コネクタに挿入可能であり、前記本体部は、前記第１弾性部材が取付けられた部分が前記挿入開口内に挿入可能であり、当該部分が前記挿入開口内に挿入されると、前記第１弾性部材は、当該部分と前記挿入開口との間に介在する。
【００１２】
本発明の更に他のカード保持部材においては、さらに、前記第１連結部と第２連結部とは、前記第２弾性部材を介して連結される。
【００１４】
本発明の更に他のカード保持部材においては、さらに、前記本体部は、前記排出操作部材が挿入される挿通孔（こう）を含み、前記第３弾性部材は、前記排出操作部材と挿通孔との間に介在する。
【００１５】
本発明の更に他のカード保持部材においては、さらに、前記カード保持部材は、金属から成る板材から一体的に形成された金属部を更に備え、前記第１部及び第２部は、樹脂から成り、前記金属部の周囲の少なくとも一部を被覆して一体化するように形成される。
【００１６】
本発明のカード用コネクタセットにおいては、本発明のカード保持部材と、該カード保持部材をカード用コネクタから排出させる排出機構を含み、前記カード保持部材を挿入可能なカード用コネクタとを備える。
【発明の効果】
【００１７】
本発明によれば、カード保持部材は、第１弾性部材及び第２弾性部材を具備する。これにより、カード保持部材のカード用コネクタへの挿入及び排出を容易に、かつ、確実に行うことができるとともに、外部からの異物の侵入を確実に防止することができ、高い信頼性を得ることができる。
【図面の簡単な説明】
【００１８】
【図１】本発明の第１の実施の形態におけるカード用コネクタにカード用トレイを挿入した状態のカード用コネクタセットを示す斜視図であって、（ａ）は第１の斜視図、（ｂ）は第２の斜視図である。
【図２】本発明の第１の実施の形態におけるカード用コネクタにカード用トレイを挿入した状態のカード用コネクタセットを示す図であって、（ａ）は上面図、（ｂ）は（ａ）におけるＢ−Ｂ矢視断面拡大図、（ｃ）は（ａ）におけるＣ−Ｃ矢視断面図である。
【図３】本発明の第１の実施の形態におけるカード用コネクタにカード用トレイを挿入する直前の状態のカード用コネクタセットを示す上面図であってシェルを取外した状態を示す図である。
【図４】本発明の第１の実施の形態におけるカード用トレイを示す図であって、（ａ）は上面図、（ｂ）は後面図、（ｃ）は第１の斜視図、（ｄ）は第２の斜視図である。
【図５】本発明の第１の実施の形態におけるカード用トレイの分解図である。
【図６】本発明の第１の実施の形態におけるカード用コネクタにカード用トレイを挿入する動作を示す斜視図であって、（ａ）はカード用コネクタにカード用トレイを挿入する直前の状態を示す図、（ｂ）はカード用コネクタにカード用トレイの前端近傍が挿入された状態を示す図である。
【図７】本発明の第１の実施の形態におけるカード用コネクタにカード用トレイが挿入された状態を示す縦断面図である。
【図８】本発明の第１の実施の形態におけるカード用コネクタからカード用トレイを排出する動作を示す図であって、（ａ）は上面図、（ｂ）は（ａ）におけるＢ−Ｂ矢視断面拡大図である。
【図９】本発明の第２の実施の形態におけるカード用トレイの統合弾性部材を示す図であって、（ａ）は上面図、（ｂ）は第１の斜視図、（ｃ）は第２の斜視図である。
【図１０】従来のカード用コネクタを示す断面図である。
【発明を実施するための形態】
【００１９】
以下、本発明の実施の形態について図面を参照しながら詳細に説明する。
【００２０】
図１は本発明の第１の実施の形態におけるカード用コネクタにカード用トレイを挿入した状態のカード用コネクタセットを示す斜視図、図２は本発明の第１の実施の形態におけるカード用コネクタにカード用トレイを挿入した状態のカード用コネクタセットを示す図、図３は本発明の第１の実施の形態におけるカード用コネクタにカード用トレイを挿入する直前の状態のカード用コネクタセットを示す上面図であってシェルを取外した状態を示す図、図４は本発明の第１の実施の形態におけるカード用トレイを示す図、図５は本発明の第１の実施の形態におけるカード用トレイの分解図である。なお、図１において、（ａ）は第１の斜視図、（ｂ）は第２の斜視図であり、図２において、（ａ）は上面図、（ｂ）は（ａ）におけるＢ−Ｂ矢視断面拡大図、（ｃ）は（ａ）におけるＣ−Ｃ矢視断面図であり、図４において、（ａ）は上面図、（ｂ）は後面図、（ｃ）は第１の斜視図、（ｄ）は第２の斜視図である。
【００２１】
図において、１６０は本実施の形態におけるカード保持部材としてのカード用トレイであり、図３に示されるように、カード１０１を収容して保持した状態で、図示されない電子機器の基板９１に実装されたカード用コネクタ１に挿入される。つまり、カード１０１は、その側面と対向する枠部材によって前記側面を囲繞（にょう）された状態でカード用トレイ１６０に収容され、カード用コネクタ１を介して、電子機器に装着される。なお、図３においては、説明の都合上、カード用コネクタ１のシェル６１を取外した状態が示されている。
【００２２】
また、前記電子機器は、例えば、パーソナルコンピュータ、スマートフォン、携帯電話機、通信モデム、タブレットコンピュータ、デジタルカメラ、ビデオカメラ、音楽プレーヤ、ゲーム機、車両用ナビゲーション装置等であるが、いかなる種類の機器であってもよい。さらに、前記基板９１は、前記電子機器が備える配線基板等の基板であるが、いかなる種類の基板であってもよい。
【００２３】
ところで、例えば、電子機器にカード用コネクタ１以外のカード用コネクタが実装されているような場合には、ユーザがカード用コネクタ１を使用しないこともあり得る。そして、このような場合に、ユーザは、カード１０１を収容していないカード用トレイ１６０、すなわち、空のカード用トレイ１６０をカード用コネクタ１に挿入した状態で保管することができる。
【００２４】
前記カード１０１は、例えば、ＳＩＭカード、マイクロＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施の形態においては、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。なお、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２５】
本実施の形態において、前記カード１０１は、全体的に略矩（く）形の板状の形状を有し、その下面に、端子部材である図示されない電極パッドが、複数、前端及び後端に沿って並ぶように、例えば、３つずつ、２列に並ぶように配設されている。すなわち、電極パッドは、カード１０１の幅方向に延在する２本の列を成すように配列されている。なお、下面の反対側の面、すなわち、上面には、電極パッドが配設されていない。
【００２６】
なお、本実施の形態において、カード用コネクタ１、カード用トレイ１６０及びカード１０１の各部の構成及び動作を説明するために使用される上、下、左、右、前、後等の方向を示す表現は、絶対的なものでなく相対的なものであり、カード用コネクタ１、カード用トレイ１６０、カード１０１又はそれらの部品が図に示される姿勢である場合に適切であるが、カード用コネクタ１、カード用トレイ１６０、カード１０１又はそれらの部品の姿勢が変化した場合には、姿勢の変化に応じて変更して解釈されるべきものである。
【００２７】
ここで、前記カード用トレイ１６０は、図５に示されるように、金属から成る板材に打抜き、折曲げ等の加工を施して一体的に形成された金属部１５１と、該金属部１５１の周囲の少なくとも一部を被覆して一体化するように、インサートモールド成形乃至オーバーモールド成形と称される成形方法によって成形された絶縁性の樹脂から成る第１部としての第１樹脂部１６１及び第２部としての第２樹脂部１６５とを含む部材である。前記第１樹脂部１６１及び第２樹脂部１６５とは、互いに独立した別個の部材である。
【００２８】
前記金属部１５１は、金属板から成る部材であって、略矩形の第１金属枠部１５２及び第２金属枠部１５３を含んでいる。なお、前記第１金属枠部１５２と第２金属枠部１５３とは一体的に形成されている。
【００２９】
そして、前記第１金属枠部１５２は、カード１０１の電極パッドが露出可能な略矩形の開口１５２ｄの四辺を囲繞する枠部材であって、幅方向に延在する互いに平行な第１金属横桟部１５２ａ及び中間金属横桟部１５２ｃと、前後方向に延在し、第１金属横桟部１５２ａの両端と中間金属横桟部１５２ｃの両端とを連結する左右一対の第１金属縦桁部１５２ｂとを含んでいる。
【００３０】
また、前記第２金属枠部１５３は、略矩形の開口１５３ｄの四辺を囲繞する枠部材であって、幅方向に延在する互いに平行な第２金属横桟部１５３ａ及び中間金属横桟部１５３ｃと、前後方向に延在し、第２金属横桟部１５３ａの両端と中間金属横桟部１５３ｃの両端とを連結する左右一対の第２金属縦桁部１５３ｂとを含んでいる。なお、前記第２金属枠部１５３の中間金属横桟部１５３ｃは第１金属枠部１５２の中間金属横桟部１５２ｃと一体化されており、第２金属横桟部１５３ａは第１金属横桟部１５２ａと平行である。
【００３１】
前記第１樹脂部１６１は、略矩形のカード保持枠部１６２と、第１連結部としての雌連結部１６３とを含んでいる。なお、前記カード保持枠部１６２と雌連結部１６３とは一体的に形成されている。また、インサートモールド成形乃至オーバーモールド成形と称される成形方法により、カード保持枠部１６２が第１金属枠部１５２と一体化し、雌連結部１６３が第２金属枠部１５３と一体化するように形成される。なお、第１金属枠部１５２及び第２金属枠部１５３は、必ずしもその全表面がカード保持枠部１６２及び雌連結部１６３によって覆われる必要はなく、その表面の一部がカード保持枠部１６２及び雌連結部１６３の表面に露出していてもよい。
【００３２】
そして、前記カード保持枠部１６２は、カード１０１の電極パッドが露出可能な略矩形の開口としての空間部１６２ｄの四辺を囲繞してカード１０１の側面と対向する枠部材であって、幅方向に延在する互いに平行な第１横桟部１６２ａ及び第２横桟部１６２ｃと、前後方向に延在し、第１横桟部１６２ａの両端と第２横桟部１６２ｃの両端とを連結する左右一対の第１縦桁部１６２ｂとを含んでいる。なお、該第１縦桁部１６２ｂの内側下端からは、庇（ひさし）部１６２ｅが空間部１６２ｄの内側に向けて延出する。前記庇部１６２ｅは、空間部１６２ｄ内に収容されたカード１０１の下面の少なくとも一部、例えば、側端近傍等を支持するカード支持部として機能する。さらに、前記第１縦桁部１６２ｂの外側面には、カード用コネクタ１内に挿入されたカード用トレイ１６０が保持されて固定されるための保持用凹部１６１ａが形成されている。
【００３３】
また、前記雌連結部１６３は、略Ｔ字状の開口１６３ｄの周囲を、一部を残して囲繞する部材であって、幅方向に延在する互いに平行な係合横桟部１６３ａ及び第２横桟部１６３ｃと、前後方向に延在し、係合横桟部１６３ａの両端と第２横桟部１６３ｃの両端とを連結する左右一対の係合縦桁部１６３ｂとを含んでいる。なお、前記係合横桟部１６３ａは、第２金属枠部１５３の第２金属横桟部１５３ａと一体化する部分であるが、その中央部分は欠落している。したがって、前記係合横桟部１６３ａと係合縦桁部１６３ｂとは、左右一対の略Ｌ字状の係合腕を形成する。また、前記雌連結部１６３の第２横桟部１６３ｃはカード保持枠部１６２の第２横桟部１６２ｃと一体化されている。
【００３４】
前記第２樹脂部１６５は、本体部としての操作部１６６と、第２連結部としての雄連結部１６７とを含んでいる。なお、前記操作部１６６と雄連結部１６７とは一体的に形成されている。また、インサートモールド成形乃至オーバーモールド成形と称される成形方法により、雄連結部１６７が第２金属枠部１５３の第２金属横桟部１５３ａと一体化するように成形される。
【００３５】
そして、前記操作部１６６は、長軸が幅方向に延在する略楕（だ）円乃至略長円状の断面を備える柱状部材であって、周壁面を囲繞するように形成された凹溝部１６６ａと、長軸が幅方向に延在する略楕円乃至略長円状の板状の部材であって後端に接続された後板部１６６ｂと、幅方向の一端近傍から前方に向って突出する円柱状のガイド部１６６ｃとを含んでいる。なお、該ガイド部１６６ｃには、後端が後板部１６６ｂの後面に開口し、前端がガイド部１６６ｃの前面に開口するように前後方向に直線的に延在する断面が円形の挿通孔１６８が形成されている。
【００３６】
また、前記雄連結部１６７は、雌連結部１６３と相補的な関係を有する略Ｔ字状の板状の部材であって、前方に向けて延出する柱部１６７ａと、該柱部１６７ａの前端から左右両側に向って突出する一対の係合凸部１６７ｂとを含んでいる。前記柱部１６７ａは、雌連結部１６３の係合横桟部１６３ａにおける欠落した中央部分に対応する部分であって、第２金属枠部１５３の第２金属横桟部１５３ａと一体化する。なお、前記柱部１６７ａの後端は、前記操作部１６６の前端に一体的に接続されている。そして、前記雄連結部１６７は、図２に示されるように、雌連結部１６３の開口１６３ｄ内に収容され、これにより、第２樹脂部１６５が第１樹脂部１６１と連結される。
【００３７】
さらに、前記カード用トレイ１６０には、第１弾性部材１７１と、第２弾性部材１７２と、第３弾性部材１７５と、排出操作部材１８１とが取付けられる。
【００３８】
前記第１弾性部材１７１は、シリコーンゴム等の柔軟性を有する弾性材料から成る環状の部材であり、第２樹脂部１６５の凹溝部１６６ａに嵌（はめ）込まれる。また、前記第２弾性部材１７２は、第１弾性部材１７１と同様に、シリコーンゴム等の柔軟性を有する弾性材料から成り、略Ω字状の帯状乃至紐（ひも）状の部材であって、図２に示されるように、雄連結部１６７と雌連結部１６３との間の空間に嵌込まれる。なお、前記第１弾性部材１７１及び第２弾性部材１７２は、手作業によって前記凹溝部１６６ａ及び雄連結部１６７と雌連結部１６３との間の空間に嵌込まれてもよいが、複数種類の樹脂を単一の金型内に充填する２色成形乃至多色成形と称される成形方法を採用することによって、第１樹脂部１６１及び第２樹脂部１６５とともに成形され、凹溝部１６６ａ及び雄連結部１６７と雌連結部１６３との間の空間に嵌込まれた状態とされたものであってもよい。
【００３９】
このように、本実施の形態におけるカード用トレイ１６０では、第１樹脂部１６１と第２樹脂部１６５とは、相互に分離し、第２弾性部材１７２を介して相互に連結されているので、該第２弾性部材１７２が変形可能な量に対応する量だけ、相対的に変位可能となっている。なお、第１樹脂部１６１の雌連結部１６３が第２金属枠部１５３と一体化し、かつ、第２樹脂部１６５の雄連結部１６７の柱部１６７ａが第２金属枠部１５３の第２金属横桟部１５３ａと一体化しているが、該第２金属横桟部１５３ａがある程度の弾性変形が可能な部材であるから、第１樹脂部１６１と第２樹脂部１６５とは相対的に変位可能である。
【００４０】
前記第３弾性部材１７５は、第１弾性部材１７１及び第２弾性部材１７２と同様に、シリコーンゴム等の柔軟性を有する弾性材料から成る部材であって、前記第２樹脂部１６５の挿通孔１６８と、該挿通孔１６８に挿入された排出操作部材１８１との間の空間に嵌込まれる。また、前記排出操作部材１８１は、カード用トレイ１６０をカード用コネクタ１から排出させる排出機構を作動させる補助部材として機能する部材であって、直線的な円柱状のロッド部１８１ａと、該ロッド部１８１ａの後端に一体的に接続された円板状の頭部１８１ｂとを含んでいる。
【００４１】
そして、前記第３弾性部材１７５は、直線的な円筒部１７５ａと、該円筒部１７５ａの先端に一体的に接続されたコーン部１７５ｂと、前記円筒部１７５ａの外周に形成された鰭（ひれ）部１７５ｄとを備える。なお、前記第３弾性部材１７５には、後面が円筒部１７５ａの後端に開口し、前端がコーン部１７５ｂの前面に開口するに前後方向に延在する内径が一定で断面が円形の中央孔１７６が形成されている。また、前記コーン部１７５ｂは、外面が円錐（すい）面状のテーパ面であって、少なくとも後端の外径が円筒部１７５ａの外径よりも大きく、前記後端と円筒部１７５ａの先端との境界が段部１７５ｃとなっている。さらに、前記鰭部１７５ｄは、円筒部１７５ａの外周を囲繞するように形成された環状の突出部であって、外径が円筒部１７５ａの外径よりも大きい。なお、図に示される例において、鰭部１７５ｄの数は２つであるが、１つであってもよいし、３つ以上であってもよい。
【００４２】
前記排出操作部材１８１は、図２（ｂ）に示されるように、第３弾性部材１７５を介して、カード用トレイ１６０の挿通孔１６８に挿通されて取付けられる。なお、該挿通孔１６８は、後端寄りの大径部１６８ａと、前端寄りの小径部１６８ｂと、前記大径部１６８ａと小径部１６８ｂとの境界に形成された段部１６８ｃとを備える。前記大径部１６８ａの径は、排出操作部材１８１の頭部１８１ｂの外径よりも大きく、小径部１６８ｂの径は、排出操作部材１８１の頭部１８１ｂの外径よりも小さく設定されている。
【００４３】
そして、第３弾性部材１７５の円筒部１７５ａは、全体が挿通孔１６８内に収容され、鰭部１７５ｄは、中央孔１７６内に排出操作部材１８１のロッド部１８１ａが挿入されていることにより、大径部１６８ａの内面に押付けられた状態となっている。また、段部１７５ｃがガイド部１６６ｃの前端に当接し、これにより、第３弾性部材１７５のガイド部１６６ｃに対する前後方向の位置が規定され、第３弾性部材１７５はガイド部１６６ｃに対して、それ以上後方へ変位することが不能となっている。なお、前記第３弾性部材１７５は排出操作部材１８１の前進に伴ってガイド部１６６ｃに対して前進することができるが、排出操作部材１８１は頭部１８１ｂが段部１６８ｃに当接するとそれ以上前方へ変位することが不能となるので、第３弾性部材１７５もそれ以上前進することがない。
【００４４】
なお、第３弾性部材１７５は柔軟性を有し、コーン部１７５ｂは大きく変形することができるので、例えば、中央孔１７６内に排出操作部材１８１のロッド部１８１ａが挿入されている状態の第３弾性部材１７５を、手作業によって後板部１６６ｂの後面の開口から挿通孔１６８内に押込むことにより、図２（ｂ）に示されるような状態すること、すなわち、カード用トレイ１６０に第３弾性部材１７５と排出操作部材１８１とを取付けることは、可能である。
【００４５】
本実施の形態において、カード用コネクタ１は、樹脂等の絶縁性材料によって一体的に成形されたハウジング１１と、導電性の金属から成る板材に打抜き、折曲げ等の加工を施すことによって一体的に成形され、ハウジング１１の上側に取付けられたカバー部材としてのシェル６１とを有する。該シェル６１は、ハウジング１１及びカード用コネクタ１に挿入されたカード用トレイ１６０の少なくとも一部の上方を覆うようになっている。そして、前記カード用コネクタ１は、概略、扁（へん）平な直方体形状を備え、前記電子機器が有する基板９１に実装され、後方（図１（ａ）における右下方）の挿入口１８から、ハウジング１１にカード用トレイ１６０が挿入される。具体的には、ハウジング１１とシェル６１との間に形成されるカード挿入空間内にカード用トレイ１６０が、その前端１６１ｆから挿入される。
【００４６】
図３に示されるように、ハウジング１１は、略矩形の平板状部材である底壁部１１ｂ、及び、ハウジング１１におけるカード用トレイ１６０の挿入方向前方の端部、すなわち、前端部１１ｆに沿って延在し、底壁部１１ｂから立設する奥壁部１１ａを有する。なお、ハウジング１１におけるカード用トレイ１６０の挿入方向後方の端部は、後端部１１ｒと称する。
【００４７】
ここで、底壁部１１ｂは、接続端子としての端子５１を保持する端子保持凹部１１ｃを備える。該端子保持凹部１１ｃは、底壁部１１ｂを板厚方向に貫通する開口であり、ハウジング１１の幅方向に延在する列を成すように、並んで配設されている。図に示される例では、３つずつ、２列に並ぶように配設されている。すなわち、端子保持凹部１１ｃ、及び、各端子保持凹部１１ｃ内に１つずつ保持される端子５１は、ハウジング１１の幅方向に延在する２本の列を成すように配列されている。前記端子５１は、少なくとも一部が底壁部１１ｂに埋込まれ、また、少なくとも接触部５１ａが端子保持凹部１１ｃ内に露出している。前記接触部５１ａは、端子５１の腕部が備えるばね性によって上方に向けて付勢され、カード用コネクタ１内に保持されたカード用トレイ１６０内のカード１０１の電極パッドの各々に接触する。なお、端子５１の数及び配置の形態は、カード１０１の電極パッドの数及び配置の形態に適合するように、適宜変更される。
【００４８】
また、底壁部１１ｂには、該底壁部１１ｂを板厚方向に貫通するソルダーテール用開口１１ｄが形成されている。そして、該ソルダーテール用開口１１ｄには、各端子５１の基板接続部としてのソルダーテール部５１ｄが露出している。該ソルダーテール部５１ｄの各々は、底壁部１１ｂに埋込まれた図示されない連結部を介して、各端子５１に連結されている。前記ソルダーテール部５１ｄは、前記基板９１に形成された信号線、コンタクトパッド、端子等に、はんだ付等によって電気的に接続される。
【００４９】
そして、ハウジング１１は、側縁に沿って前後方向に延在する左右一対の側壁部１１ｅを有し、各側壁部１１ｅの内側には、カード用トレイ１６０を保持して固定するための保持用ばね部材７５が配設されている。該保持用ばね部材７５は、前後方向に延在する細長い板状のばね部材であって、その中央部付近にハウジング１１の幅方向内側に向って突出する保持用凸部７５ａが形成されている。該保持用凸部７５ａは、カード用トレイ１６０の保持用凹部１６１ａと係合し、これにより、図１及び２に示されるようにカード用コネクタ１内に挿入されたカード用トレイ１６０を保持して固定する。
【００５０】
また、前記側壁部１１ｅの一方の内側には、カード用コネクタ１内に挿入されたカード用トレイ１６０を排出するためのトレイ排出機構におけるトレイ排出操作部材としてのプッシュロッド２２が前後方向にスライド可能に取付けられている。該プッシュロッド２２は、概略直線的な棒状又は帯板状の部材であるが、その後端部には、屈曲した操作部２２ａが一体的に接続されている。該操作部２２ａは、前記排出操作部材１８１の先端が当接しやすいような形状に形成されている。
【００５１】
また、前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であってトレイ排出機構におけるトレイ排出梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６０の前端１６１ｆに当接して、カード用トレイ１６０に排出方向の力を付与する作用点部２１ａとして機能する。
【００５２】
前記シェル６１は、概略矩形の天板部６２と、該天板部６２の側縁から立設する側板部６３とを有する。該側板部６３には、複数の掛止開口６３ａが形成され、シェル６１をハウジング１１の上側に取付けると、該ハウジング１１の側壁部１１ｅの外側面に形成された掛止突起１３に前記掛止開口６３ａが掛止され、これにより、シェル６１がハウジング１１に固定される。また、前記側板部６３の下端の任意の箇所には、側板部６３から立設し、シェル６１の幅方向外側に向けて延出するソルダーテール部６４が形成されている。該ソルダーテール部６４は、前記基板９１の表面に形成された固定用パッド等に、はんだ付等によって固定される。
【００５３】
さらに、カード用コネクタ１は、該カード用コネクタ１に挿入されたカード用トレイ１６０を検出する検出スイッチの第１接点部材５７及び第２接点部材５８を有する。カード用トレイ１６０が挿入されていない状態においては、図３に示されるように、第１接点部材５７と第２接点部材５８とは接触しておらず、トレイ検出スイッチは非導通状態、すなわち、オフ（ＯＦＦ）になっている。しかし、カード用トレイ１６０がカード用コネクタ１に挿入されて所定位置に到達すると、カード用トレイ１６０の前端１６１ｆによって第１接点部材５７が前端部１１ｆの方向に向けて押されて変位し、第２接点部材５８に接触し、トレイ検出スイッチが導通状態、すなわち、オン（ＯＮ）になるので、カード用トレイ１６０がカード用コネクタ１の所定位置に到達したことが検出される。
【００５４】
次に、前記構成のカード用トレイ１６０をカード用コネクタ１に挿入し、その後カード用コネクタ１から排出する動作について説明する。
【００５５】
図６は本発明の第１の実施の形態におけるカード用コネクタにカード用トレイを挿入する動作を示す斜視図、図７は本発明の第１の実施の形態におけるカード用コネクタにカード用トレイが挿入された状態を示す縦断面図、図８は本発明の第１の実施の形態におけるカード用コネクタからカード用トレイを排出する動作を示す図である。なお、図６において、（ａ）はカード用コネクタにカード用トレイを挿入する直前の状態を示す図、（ｂ）はカード用コネクタにカード用トレイの前端近傍が挿入された状態を示す図であり、図８において、（ａ）は上面図、（ｂ）は（ａ）におけるＢ−Ｂ矢視断面拡大図である。
【００５６】
まず、カード用トレイ１６０を挿入する場合の動作について説明する。前述のように、カード用トレイ１６０は、カード１０１を収容していない状態であっても、カード用コネクタ１に挿入及び排出することができるが、ここでは、カード１０１を収容している場合についてのみ説明する。
【００５７】
また、ここでは、カード用コネクタ１が実装された基板９１は、電子機器の筐（きょう）体内に取付けられ、図７に示されるように、壁部材としての筐体の外壁９５には該外壁９５を貫通する挿入開口９５ａが形成され、カード用トレイ１６０は、外壁９５の外側（図７における左側）から前記挿入開口９５ａを通して、挿入口１８からカード用コネクタ１に挿入されるものとする。なお、図７以外の図面においては、便宜上、外壁９５の描画が省略されている。
【００５８】
まず、ユーザは、手指等によって、カード１０１が収容されたカード用トレイ１６０をカード用コネクタ１の後方に位置する筐体の外壁９５の外側から該外壁９５の挿入開口９５ａに接近させる。なお、カード用コネクタ１と外壁９５とは、互いに独立した別個の部材であるが、相対的位置関係が変化しないように、かつ、カード用コネクタ１の挿入口１８と外壁９５の挿入開口９５ａとが整列するように、相互に固定されている。
【００５９】
また、図６（ａ）に示されるように、カード用トレイ１６０は、その上面が上を向き、すなわち、シェル６１の天板部６２と向合い、前端１６１ｆがハウジング１１の前端部１１ｆの方を向くような姿勢となっている。そのため、カード用トレイ１６０内に収容されているカード１０１は、電極パッドが配設されている下面が開放された状態で下を向き、端子５１が配設されているハウジング１１の底壁部１１ｂと向合い、その前端がハウジング１１の前端部１１ｆの方を向くような姿勢となっている。
【００６０】
そして、カード用コネクタ１の挿入口１８と外壁９５の挿入開口９５ａとが整列しているので、カード用トレイ１６０を前記挿入開口９５ａに挿入して更に進行させると、前記カード用トレイ１６０は、図６（ｂ）に示されるように、前記挿入口１８からハウジング１１とシェル６１との間に形成されるカード挿入空間内に挿入される。
【００６１】
続いて、ユーザがカード用トレイ１６０をプッシュして更に押込むと、図２及び７に示されるように、カード用トレイ１６０がカード用コネクタ１の所定位置に到達する。このとき、前端１６１ｆに押され、第１接点部材５７が第２接点部材５８に接触し、カード検出スイッチがオンになるので、カード用トレイ１６０がカード用コネクタ１の所定位置に到達したことが検出される。
【００６２】
また、カード用トレイ１６０がカード用コネクタ１の所定位置にまで前進することにより、イジェクトレバー２１の作用点部２１ａが、前端１６１ｆに押されて前端部１１ｆの方向に向けて更に変位するので、イジェクトレバー２１の力点部２１ｂは、後端部１１ｒの方向に向けて更に変位し、プッシュロッド２２は、後方に最も突出した位置にまでスライドした状態となる。
【００６３】
そして、カード用トレイ１６０がカード用コネクタ１の所定位置に到達すると、イジェクトレバー２１の作用点部２１ａは、ハウジング１１の奥壁部１１ａと干渉するので、それ以上前端部１１ｆの方向に向けて変位不能となる。したがって、カード用トレイ１６０も、それ以上前進不能となる。
【００６４】
さらに、該カード用トレイ１６０がカード用コネクタ１の所定位置に到達すると、左右一対の保持用ばね部材７５の保持用凸部７５ａが、カード用トレイ１６０の第１樹脂部１６１における第１縦桁部１６２ｂの外側面に形成された保持用凹部１６１ａと係合する。これにより、カード用トレイ１６０は、所定位置において安定的に保持されてロックされ、該所定位置から後方に向けて変位することが防止される。
【００６５】
そして、カード用トレイ１６０内に収容されているカード１０１は、カード用トレイ１６０とともに、所定位置に保持されることによって、カード用コネクタ１が実装された電子機器の演算手段等との間でデータの送受信を行うことができる状態となる。なお、カード１０１が所定位置に保持されているとき、カード用コネクタ１の端子５１は、その接触部５１ａが、カード１０１の電極パッドの各々に接触して導通している。
【００６６】
また、カード用トレイ１６０の挿入が完了し、該カード用トレイ１６０がカード用コネクタ１の所定位置に到達すると、図７に示されるように、外壁９５の挿入開口９５ａの内周面に第１弾性部材１７１が押付けられ、前記挿入開口９５ａの内周面とカード用トレイ１６０の第２樹脂部１６５における操作部１６６の周壁面との間の間隙を第１弾性部材１７１が閉鎖する。これにより、外部からの水、埃等の異物の筐体内への侵入が防止される。さらに、カード用トレイ１６０の挿通孔１６８の内周面と排出操作部材１８１のロッド部１８１ａの周壁面との間の間隙が第３弾性部材１７５によって閉鎖されているので、外部からの異物が挿通孔１６８を通って筐体内へ侵入することも防止される。
【００６７】
なお、ここでは、カード用コネクタ１の挿入口１８と外壁９５の挿入開口９５ａとが整列しているものとして説明したが、電子機器の筐体への基板９１の取付誤差、カード用コネクタ１の基板９１への実装誤差、挿入開口９５ａの寸法誤差、基板９１、外壁９５等各種部材の変形等の各種の要因により、前記挿入口１８と挿入開口９５ａとの間に位置ずれが生じている場合、すなわち、挿入口１８と挿入開口９５ａとが整列していない場合が起こり得る。
【００６８】
しかしながら、本実施の形態におけるカード用トレイ１６０は第１弾性部材１７１及び第２弾性部材１７２を備え、前記第１弾性部材１７１が第２樹脂部１６５の操作部１６６に取付けられ、前記第２弾性部材１７２が第１樹脂部１６１の雌連結部１６３と第２樹脂部１６５の雄連結部１６７との間に介在するので、挿入口１８と挿入開口９５ａとが整列していない場合であっても、前記カード用トレイ１６０を、前記挿入開口９５ａを通して、挿入口１８からカード用コネクタ１に挿入することができる。
【００６９】
具体的には、図７に示されるように、挿入開口９５ａに挿入される部分である第２樹脂部１６５の操作部１６６の周壁面と前記挿入開口９５ａの内周面との間に第１弾性部材１７１が介在するので、挿入口１８と挿入開口９５ａとの不整列に起因して挿入開口９５ａと操作部１６６との位置関係が正規の位置関係からずれてしまっても、かかる位置ずれは、第１弾性部材１７１の変形によって吸収される。また、挿入口１８に挿入される部分である第１樹脂部１６１と挿入開口９５ａに挿入される部分である第２樹脂部１６５との間に第２弾性部材１７２が介在するので、挿入口１８と挿入開口９５ａとの不整列に起因して第１樹脂部１６１と第２樹脂部１６５との位置関係が正規の位置関係からずれてしまっても、かかる位置ずれは、第２弾性部材１７２の変形によって吸収される。
【００７０】
つまり、挿入口１８と挿入開口９５ａとの不整列に起因する各部の位置ずれは、第１弾性部材１７１及び第２弾性部材１７２という複数の弾性部材が複数箇所で変形することによって複数箇所で吸収される。この場合、各弾性部材の変形量は、他の弾性部材が変形することによって減殺されるので、比較的少なくなり、変形の限界を超えることがない。したがって、前記カード用トレイ１６０は、挿入口１８と挿入開口９５ａとの不整列の程度が大きくても、かかる不整列に起因する各部の位置ずれを、各弾性部材が少しずつ変形することによって吸収することができ、その結果、挿入開口９５ａを通して、挿入口１８からカード用コネクタ１に容易に、かつ、確実に挿入される。
【００７１】
また、挿入口１８と挿入開口９５ａとが不整列の場合でも、第１弾性部材１７１の変形量は、第２弾性部材１７２の変形によって減殺され、比較的少ないので、挿入開口９５ａの内周面と操作部１６６の周壁面との間の間隙は、第１弾性部材１７１によって確実に閉鎖される。したがって、外部からの水、埃等の異物の筐体内への侵入が防止される。
【００７２】
次に、カード用トレイ１６０をカード用コネクタ１から排出させる動作について説明する。
【００７３】
本実施の形態においては、ユーザは、排出操作部材１８１の頭部１８１ｂを押圧操作するために、図示されない補助部材を使用するものとする。該補助部材は、ピン、ロッド等の細長い棒状の部材であればいかなる部材であってもよいが、ここでは、金属から成る円柱状の直線的な棒状部材であるものとして説明する。
【００７４】
まず、ユーザは、手指等によって補助部材を操作し、該補助部材を、カード用トレイ１６０の後方から、後板部１６６ｂに形成された挿通孔１６８に挿入し、該挿通孔１６８に収容された排出操作部材１８１の頭部１８１ｂに当接させる。
【００７５】
続いて、ユーザが排出操作部材１８１を前方に向けて押すと、該排出操作部材１８１のロッド部１８１ａの中心軸上、すなわち、ロッド部１８１ａの進路上に、プッシュロッド２２の操作部２２ａが位置するので、前記ロッド部１８１ａの先端は操作部２２ａに当接する。
【００７６】
そして、ユーザが排出操作部材１８１をプッシュして更に押込むと、プッシュロッド２２はその最も前進可能な位置に到達し、イジェクトレバー２１の操作部２２ａは、図８に示されるような位置にまで変位する。この際、頭部１８１ｂが挿通孔１６８の段部１６８ｃに当接するので、排出操作部材１８１もその最も前進可能な位置に到達する。
【００７７】
これにより、イジェクトレバー２１の作用点部２１ａに前端１６１ｆが押されて、カード用トレイ１６０は、所定位置から後方に向けて変位する。この際、カード用トレイ１６０の第１樹脂部１６１における第１縦桁部１６２ｂの外側面に形成された保持用凹部１６１ａと保持用ばね部材７５の保持用凸部７５ａとの係合が解除されるので、排出操作部材１８１及びプッシュロッド２２は、カード用トレイ１６０及びイジェクトレバー２１を介して、弾性的に変形させられる保持用ばね部材７５が発揮するばね力を主因とする抵抗を受けるが、該抵抗がユーザの手指等が発揮する押圧力よりも小さいので、前記抵抗に抗して前方に移動する。
【００７８】
これにより、カード用トレイ１６０の後板部１６６ｂは、外壁９５から十分に大きく後方へ突出した状態となる。したがって、ユーザは、手指等によって後板部１６６ｂを把持することにより、カード用トレイ１６０をカード用コネクタ１から引出して排出させ、さらに、挿入開口９５ａから抜出すことができる。
【００７９】
なお、本実施の形態においては、カード用トレイ１６０が金属部１５１を含む場合について説明したが、該金属部１５１は必ずしも含まれる必要はなく、カード用トレイ１６０の強度が十分に高い場合には、前記金属部１５１を省略することができる。
【００８０】
このように、本実施の形態において、カード用トレイ１６０は、電極パッドを備えるカード１０１を保持可能、かつ、カード用コネクタ１に挿入可能である。そして、カード用トレイ１６０は、カード１０１の側面と対向するカード保持枠部１６２と、雌連結部１６３とを含む第１樹脂部１６１と、操作部１６６と、雌連結部１６３と連結される雄連結部１６７とを含む第２樹脂部１６５と、操作部１６６の外周に取付けられる第１弾性部材１７１と、雌連結部１６３と雄連結部１６７との間に取付けられる第２弾性部材１７２とを備える。
【００８１】
これにより、カード用トレイ１６０は、カード用コネクタ１への挿入及び排出を容易に、かつ、確実に行うことができるとともに、外部から水、埃等の異物が侵入することを確実に防止することができる。したがって、高い信頼性を得ることができる。
【００８２】
また、カード用トレイ１６０は、外壁９５の挿入開口９５ａを通してカード用コネクタ１に挿入可能であり、操作部１６６は、第１弾性部材１７１が取付けられた部分が挿入開口９５ａ内に挿入可能であり、当該部分が挿入開口９５ａ内に挿入されると、第１弾性部材１７１は、当該部分と挿入開口９５ａとの間に介在する。したがって、挿入開口９５ａと操作部１６６の当該部分との間の間隙が第１弾性部材１７１によって閉鎖されるので、外部からの水、埃等の異物の侵入が防止される。また、カード用コネクタ１と挿入開口９５ａとが完全に整列していなくても、第１弾性部材１７１及び第２弾性部材１７２が変形することによって位置ずれが吸収されるので、カード用トレイ１６０は、挿入開口９５ａを通して、カード用コネクタ１に容易に、かつ、確実に挿入される。
【００８３】
さらに、雌連結部１６３と雄連結部１６７とは、直接的には連結されず、第２弾性部材１７２を介して連結される。したがって、カード用コネクタ１と挿入開口９５ａとの不整列に起因する各部の位置ずれは、第１弾性部材１７１及び第２弾性部材１７２という複数の弾性部材が複数箇所で変形することによって複数箇所で吸収される。しかも、各弾性部材の変形量は、他の弾性部材が変形することによって減殺されるので、変形の限界のずれ許容が大きい。したがって、カード用コネクタ１と挿入開口９５ａとの不整列が大きくても、カード用トレイ１６０は、挿入開口９５ａを通して、カード用コネクタ１に容易に、かつ、確実に挿入されるとともに、第１弾性部材１７１の変形量が小さいので、外部からの異物の侵入を確実に防止することができる。
【００８４】
さらに、操作部１６６には、カード用トレイ１６０をカード用コネクタ１から排出させる排出機構を作動させる排出操作部材１８１が、第３弾性部材１７５を介して、スライド可能に取付けられる。そして、操作部１６６は、排出操作部材１８１が挿入される挿通孔１６８を含み、第３弾性部材１７５は、排出操作部材１８１と挿通孔１６８との間に介在する。したがって、外部からの異物が挿通孔１６８から侵入することを確実に防止することができる。
【００８５】
さらに、カード用トレイ１６０は、金属から成る板材から一体的に形成された金属部１５１を更に備え、第１樹脂部１６１及び第２樹脂部１６５は、樹脂から成り、金属部１５１の周囲の少なくとも一部を被覆して一体化するように形成されるる。これにより、カード用トレイ１６０の強度が向上する。
【００８６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００８７】
図９は本発明の第２の実施の形態におけるカード用トレイの統合弾性部材を示す図である。なお、図において、（ａ）は上面図、（ｂ）は第１の斜視図、（ｃ）は第２の斜視図である。
【００８８】
前記第１の実施の形態においては、第１弾性部材１７１と第２弾性部材１７２とが、それぞれ独立した別個の部材として形成されているのに対し、本実施の形態においては、第１弾性部材１７１と第２弾性部材１７２とが結合され、一つの統合弾性部材１７０として一体的に形成されている点で、本実施の形態は、前記第１の実施の形態と相違する。
【００８９】
具体的には、略Ω字状の帯状乃至紐状の部材である第２弾性部材１７２の両端が、第１結合部１７３ａ及び第２結合部１７３ｂを介して、楕円乃至長円状の環状部材である第１弾性部材１７１に結合されている。なお、第１結合部１７３ａは、楕円乃至長円状である第１弾性部材１７１の長軸の一端に相当する部分に結合されているのに対し、第２結合部１７３ｂは前記長軸の他端よりも中心寄りの部分に結合されている。これにより、第１弾性部材１７１の楕円乃至長円状の穴は、細長い第１部１７１ａと短い第２部１７１ｂとに区分される。そして、該第２部１７１ｂには、第２樹脂部１６５のガイド部１６６ｃが挿通される。
【００９０】
なお、本実施の形態における第１弾性部材１７１及び第２弾性部材１７２のその他の点の構成、材質、作用、成形方法、カード用トレイ１６０への取付方法等については、前記第１の実施の形態と同様であるので、その説明を省略する。また、本実施の形態におけるカード１０１、カード用トレイ１６０及びカード用コネクタ１の構成及び動作についても、前記第１の実施の形態と同様であるので、その説明を省略する。さらに、本実施の形態におけるカード用トレイ１６０をカード用コネクタ１に挿入し、その後カード用コネクタ１から排出する動作についても、前記第１の実施の形態と同様であるので、その説明を省略する。さらに、効果の点についても、前記第１の実施の形態と同様であるので、その説明を省略する。
【００９１】
なお、本発明は前記実施の形態に限定されるものではなく、本発明の趣旨に基づいて種々変形させることが可能であり、それらを本発明の範囲から排除するものではない。
【産業上の利用可能性】
【００９２】
本発明は、カード保持部材及びカード用コネクタセットに適用することができる。
【符号の説明】
【００９３】
１    カード用コネクタ
１１、８１１    ハウジング
１１ａ    奥壁部
１１ｂ    底壁部
１１ｃ    端子保持凹部
１１ｄ    ソルダーテール用開口
１１ｅ    側壁部
１１ｆ    前端部
１１ｒ    後端部
１３    掛止突起
１８    挿入口
２１    イジェクトレバー
２１ａ    作用点部
２１ｂ    力点部
２１ｃ    支点部
２２    プッシュロッド
２２ａ    操作部
２２ｂ    係合部
５１    端子
５１ａ    接触部
５１ｄ、６４    ソルダーテール部
５７    第１接点部材
５８    第２接点部材
６１    シェル
６２    天板部
６３    側板部
６３ａ    掛止開口
７５    保持用ばね部材
７５ａ    保持用凸部
９１    基板
９５    外壁
９５ａ    挿入開口
１０１    カード
１５１    金属部
１５２    第１金属枠部
１５２ａ    第１金属横桟部
１５２ｂ    第１金属縦桁部
１５２ｃ    中間金属横桟部
１５２ｄ、１５３ｄ、１６３ｄ    開口
１５３    第２金属枠部
１５３ａ    第２金属横桟部
１５３ｂ    第２金属縦桁部
１５３ｃ    中間金属横桟部
１６０    カード用トレイ
１６１    第１樹脂部
１６１ａ    保持用凹部
１６１ｆ    前端
１６２    カード保持枠部
１６２ａ    第１横桟部
１６２ｂ    第１縦桁部
１６２ｃ、１６３ｃ    第２横桟部
１６２ｄ    空間部
１６２ｅ    庇部
１６３    雌連結部
１６３ａ    係合横桟部
１６３ｂ    係合縦桁部
１６５    第２樹脂部
１６６    操作部
１６６ａ    凹溝部
１６６ｂ    後板部
１６６ｃ    ガイド部
１６７    雄連結部
１６７ａ    柱部
１６７ｂ    係合凸部
１６８    挿通孔
１６８ａ    大径部
１６８ｂ    小径部
１６８ｃ、１７５ｃ    段部
１７０    統合弾性部材
１７１    第１弾性部材
１７１ａ    第１部
１７１ｂ    第２部
１７２    第２弾性部材
１７３ａ    第１結合部
１７３ｂ    第２結合部
１７５    第３弾性部材
１７５ａ    円筒部
１７５ｂ    コーン部
１７５ｄ    鰭部
１７６    中央孔
１８１    排出操作部材
１８１ａ    ロッド部
１８１ｂ    頭部
８１２    長穴
８５１    コンタクト
９６１    カード用ホルダ
９７１    パッキン
【図１】
0006395557.tif 000002
【図２】
0006395557.tif 000003
【図３】
0006395557.tif 000004
【図４】
0006395557.tif 000005
【図５】
0006395557.tif 000006
【図６】
0006395557.tif 000007
【図７】
0006395557.tif 000008
【図８】
0006395557.tif 000009
【図９】
0006395557.tif 000010
【図１０】
0006395557.tif 000011